(57)【要約】【課題】各タイプのホストマシンに対する互換性を確保した請求書受領装置を提供すること。【解決手段】請求書受領装置モジュールは、インターフェイス・ボード、プログラミング・ツール、差込み式メモリ、通貨カセット上のメモリ、および、ホストマシンの少なくとも１つから構成データを受信し、構成データをメモリに保存し、ホストマシンとの請求書受領装置モジュールの動作を可能にするために構成データに従って信号を処理することができる。請求書受領装置モジュールの動作は通貨カセットとの通信を含む。【選択図】      図１
2004246857.tif 000002
【特許請求の範囲】
【請求項１】
請求書受領装置モジュールのための構成データをインターフェイス・ボードのメモリに保存する工程と、
ホストマシンとの前記請求書受領装置モジュールの動作を可能にするために前記構成データを前記請求書受領装置モジュールに送信する工程とを含む方法。
【請求項２】
前記構成データを送信するために前記請求書受領装置モジュールから要求を受信する工程をさらに含む請求項１に記載の方法。
【請求項３】
前記請求書受領装置モジュールから送信される前記構成データを受信する工程をさらに含み、前記構成データが複数のソースの少なくとも１つから前記請求書受領装置モジュールによって受信される請求項１に記載の方法。
【請求項４】
前記構成データがホストマシンのタイプまたは個々のホストマシンの少なくとも１つに固有である請求項１記載の方法。
【請求項５】
前記ホストマシンとの前記請求書受領装置モジュールの動作が、
ホストマシンのプロトコルでメッセージを受信する工程と、
前記メッセージを標準的なプロトコルに変換する工程と、
前記メッセージを標準的なプロトコルで前記請求書受領装置モジュールに送信する工程とを含む請求項１に記載の方法。
【請求項６】
インターフェイス・ボード装置に通貨カセット・データを受信する工程と、
前記インターフェイス・ボード装置からの前記データを前記請求書受領装置モジュールに送信する工程とをさらに含む請求項１に記載の方法。
【請求項７】
前記通貨カセット・データを受信するために、ＲＦ通信が使用される請求項６に記載の方法。
【請求項８】
前記請求書受領装置モジュールから通貨カセットのための情報を受信する工程と、
前記情報を前記通貨カセットに送信する工程とをさらに含む請求項６に記載の方法。
【請求項９】
前記通貨カセットに前記情報を送信する工程がＲＦ通信を使用して実行される請求項８に記載の方法。
【請求項１０】
前記通貨カセット上の電気装置を動作させるために前記請求書受領装置モジュールから要求を受信する工程と、
機能を実行するために前記通貨カセット上の前記電気装置に要求を送出する工程とをさらに含む請求項１に記載の方法。
【請求項１１】
前記電気装置が電気機械式錠である請求項１０に記載の方法。
【請求項１２】
インターフェイス・ボード装置、プログラミング・ツール、差込み式メモリ、通貨カセット上のメモリ、および、ホストマシンの少なくとも１つから送信される構成データを受信する工程と、
前記構成データをメモリ内に保存する工程と、
前記ホストマシンとの請求書受領装置モジュールの動作を可能にするために前記構成データに従って信号を処理する工程とを含む方法。
【請求項１３】
前記構成データを送信するために前記インターフェイス・ボード装置に要求を送出する工程をさらに含む請求項１２に記載の方法。
【請求項１４】
複数のソースの少なくとも１つから前記構成データを受信する工程と、
前記構成データを前記インターフェイス・ボード装置に送信する工程とをさらに含む請求項１２に記載の方法。
【請求項１５】
前記ホストマシンとの請求書受領装置モジュールの動作が、
ホストマシンのプロトコルに従ってインターフェイス・ボード装置からのメッセージを受信する工程と、
前記メッセージを標準的なプロトコルに変換する工程とを含む請求項１２に記載の方法。
【請求項１６】
前記インターフェイス・ボード装置から通貨カセット・データを受信する工程をさらに含む請求項１２に記載の方法。
【請求項１７】
前記インターフェイス・ボード装置を介して前記請求書受領装置モジュールから前記通貨カセットに情報を送信する工程をさらに含む請求項１２に記載の方法。
【請求項１８】
通貨カセットからデータを受信する工程または通貨カセットにデータを送信する工程をさらに含む請求項１２に記載の方法。
【請求項１９】
前記データを受信または送信するためにＲＦ通信が使用される請求項１８に記載の方法。
【請求項２０】
電気装置を動作させるために前記インターフェイス・ボード装置に要求を送出する工程をさらに含む請求項１２に記載の方法。
【請求項２１】
前記電気装置が通貨カセット電気機械式錠を含み、前記要求が前記電気機械式錠を施錠および開錠することの少なくとも１つを含む請求項２０に記載の方法。
【請求項２２】
インターフェイス・ボード装置であって、
請求書受領装置モジュールをホストマシンに結合するための電気的接続部を備えたインターフェイス印刷回路板と、
前記インターフェイス印刷回路板に結合される制御回路と、
前記制御回路に適用された時に、制御回路に、
インターフェイス・ボードのメモリに前記請求書受領装置モジュールのための構成データを保存させ、
前記ホストマシンとの請求書受領装置モジュールの動作を可能にするために前記請求書受領装置モジュールに前記構成データを送信させる情報を保存するための、前記インターフェイス印刷回路板に結合するメモリを含む装置。
【請求項２３】
前記印刷回路板の電気的接続部が多くのタイプのアダプタの少なくとも１つと互換性を持つ請求項２２に記載の装置。
【請求項２４】
前記インターフェイス・ボードが複数のインターフェイス・ボードのモデルの１つであり、前記モデルの各々が１つまたは複数のホスト・インターフェイスを標準的なインターフェイスに変換できる請求項２２に記載の装置。
【請求項２５】
前記構成データが、スタッカ構成、通電時ポリシ、ベゼルのタイプ、有効請求書の額面金額、請求書受領方法、銀行券の系列に関する制限、ユーザ・インターフェイス、および、ユーザ・インターフェイス自動検出の少なくとも１つに関する情報を含む請求項２２に記載の装置。
【請求項２６】
前記構成データを設定し、保存するためにＤＩＰスイッチをさらに含む請求項２２に記載の装置。
【請求項２７】
前記メモリが、前記構成データを送信するために前記請求書受領装置モジュールから要求を前記制御回路に受信させる指示、および、前記請求書受領装置モジュールから送信される構成データを制御回路に受信させる指示の少なくとも１つを含む請求項２２に記載の装置。
【請求項２８】
請求書受領装置モジュールの印刷回路板への接続のために前記インターフェイス印刷回路板上に取り付けられるコネクタをさらに含む請求項２２に記載の装置。
【請求項２９】
前記コネクタが、前記インターフェイス印刷回路板上の電気的接続部および請求書受領装置モジュールの印刷回路板上の電気的接続部の少なくとも１つに導通するためのバネ状金属指のアレイを含む請求項２８に記載の装置。
【請求項３０】
少なくとも１つの最外部金属指は、他の金属指のいずれかでもが導通する前に、印刷回路板上の対応する電気的接続部と導通するために持ち上げられる請求項２９に記載の装置。
【請求項３１】
前記最外部金属指に対応する前記印刷回路板上の電気回路が静電放電に耐えるために粗面化される請求項３０に記載の装置。
【請求項３２】
前記インターフェイス印刷回路板の少なくとも１つの最外部電気的接続部パッドが、他の電気的接続部パッドのいずれかでもが導通する前に前記コネクタ上の対応する金属指と導通するために、前記他の電気的接続部パッドより高くなるように持ち上げられる請求項２２に記載の装置。
【請求項３３】
前記持ち上げられたパッドに対応する前記インターフェイス印刷回路板上の電気回路は、静電放電に耐えるように粗面化される請求項３２に記載の装置。
【請求項３４】
前記インターフェイス印刷回路板の少なくとも１つの最外部電気的接続部パッドが、他の電気的接続部パッドのいずれかでもが導通する前にコネクタ上の対応する金属指に導通するために、前記他の電気的接続部パッドより長くなるように延長される請求項２２に記載の装置。
【請求項３５】
前記延長されたパッドに対応する前記インターフェイス印刷回路板上の電気回路は、静電放電に耐えるように粗面化される請求項３４に記載の装置。
【請求項３６】
前記メモリが、前記制御回路に、
インターフェイス・ボード装置内に通貨カセット・データを受信させ、
前記インターフェイス・ボード装置から請求書受領装置モジュールに前記データを送信させるための指示をさらに含む請求項２２に記載の装置。
【請求項３７】
ＲＦ通信を使用して、通貨カセット・データを受信するため、または、前記通貨カセットにデータを送信するためにインターフェイス・ボードに結合されるＲＦアンテナをさらに含む請求項３６に記載の装置。
【請求項３８】
請求書受領装置モジュール装置であって、
インターフェイス・ボード装置に結合するための電気的接続部を備えた印刷回路板と、
前記印刷回路板に結合される制御回路と、
制御回路に適用された時に、制御回路に、
インターフェイス・ボード装置、プログラミング・ツール、差込み式メモリ、通貨カセット上のメモリ、および、ホストマシンの少なくとも１つから送信される構成データを受信させ、
メモリに前記構成データを保存させ、
前記ホストマシンとの請求書受領装置モジュールの動作を可能にするために前記構成データに従って信号を処理させる情報を保存するために印刷回路板に結合されるメモリを含む装置。
【請求項３９】
前記印刷回路板の電気的接続部が多くのタイプのコネクタの少なくとも１つと互換性を持つ請求項３８に記載の装置。
【請求項４０】
前記印刷回路板の電気的接続部に結合されるＵＳＢアダプタをさらに含み、前記ＵＳＢアダプタは、前記請求書受領装置モジュールが前記フレームに取り付けられる時でさえもアクセス可能である請求項３８に記載の装置。
【請求項４１】
インターフェイス・ボード装置のインターフェイス印刷回路板への接続のために、印刷回路板上に取り付けられるコネクタをさらに含む請求項３８に記載の装置。
【請求項４２】
前記コネクタが、インターフェイス・ボード装置のインターフェイス印刷回路板上の電気的接続部および前記請求書受領装置モジュールの印刷回路板上の電気的接続部の少なくとも１つに導通するためのバネ状金属指のアレイを含む請求項４１に記載の装置。
【請求項４３】
少なくとも１つの最外部金属指が、他の金属指のいずれかでもが導通する前に、印刷回路板上の対応する電気的接続部と導通するために持ち上げられる請求項４２に記載の装置。
【請求項４４】
前記最外部金属指に対応する印刷回路板上の電気回路が、静電放電に耐えるために粗面化される請求項４３に記載の装置。
【請求項４５】
前記印刷回路板の少なくとも１つの最外部電気的接続部パッドが、他の電気的接続部パッドのいずれかでもが導通する前にコネクタ上の対応する金属指に導通するために、他の電気的接続部パッドより高くなるように持ち上げられる請求項３８に記載の装置。
【請求項４６】
前記持ち上げられたパッドに対応する前記インターフェイス印刷回路板上の電気回路が静電放電に耐えるように粗面化される請求項４５に記載の装置。
【請求項４７】
前記印刷回路板の少なくとも１つの最外部電気的接続部パッドが、他の電気的接続部パッドのいずれかでもが導通する前にコネクタ上の対応する金属指に導通するために、前記他の電気的接続部パッドより長くなるように延長される請求項３８に記載の装置。
【請求項４８】
前記延長されたパッドに対応する前記インターフェイス印刷回路板上の電気回路が静電放電に耐えるように粗面化される請求項４７に記載の装置。
【請求項４９】
前記印刷回路板が、ホストマシンに直接に結合するために電気的接続部をさらに含み、前記メモリが、前記制御回路にホストマシンと直接に通信させるための指示をさらに含む請求項３８に記載の装置。
【請求項５０】
前記請求書受領装置モジュールが、その構成データを受信するために標準的なインターフェイスを利用する請求項４９に記載の装置。
【請求項５１】
ホストマシンに直接に結合するための電気的接続部への接続、および、ホストマシンへの接続のためのエッジ・カード・コネクタをさらに含む請求項４９に記載の装置。
【請求項５２】
フレームと、
フレームに取外し可能に取り付けられ、電気的接続部を備えたインターフェイス印刷回路板、制御回路、および、前記インターフェイス印刷回路板に結合された関連メモリを含むインターフェイス・ボードであって、前記メモリが、前記制御回路に、前記インターフェイス・ボードの前記メモリに請求書受領装置モジュールのための構成データを保存させ、前記ホストマシンとの請求書受領装置モジュールの動作を可能にするために前記請求書受領装置モジュールに前記構成データを送信させる情報を保存するインターフェイス・ボード、および、
前記インターフェイス・ボードに結合するための電気的接続部を備えた印刷回路板、制御回路、および、前記印刷回路板に結合される関連メモリを含む請求書受領装置モジュールであって、前記メモリは、前記制御回路に、インターフェイス・ボード、プログラミング・ツール、差込み式メモリ・チップ、通貨カセット上のメモリ、および、ホストマシンの少なくとも１つから送信される構成データを受信させ、前記構成データを保存させ、前記ホストマシンとの前記請求書受領装置モジュールの動作を可能にするために前記構成データに従って信号を処理させる情報を保存するシステム。
【請求項５３】
前記構成データが、スタッカ構成、通電時ポリシ、ベゼルのタイプ、有効請求書の額面金額、請求書受領方法、銀行券の系列に関する制限、ユーザ・インターフェイス、および、ユーザ・インターフェイス自動検出の少なくとも１つに関する情報を含む請求項５２に記載のシステム。
【請求項５４】
前記インターフェイス・ボードが、構成データを設定し、保存するためのＤＩＰスイッチをさらに含む請求項５２に記載のシステム。
【請求項５５】
前記インターフェイス・ボードの前記メモリが、前記構成データを送信するために前記請求書受領装置モジュールからの要求を前記制御回路に受信させる指示、および、前記請求書受領装置モジュールから送信される構成データを前記制御回路に受信させる指示の少なくとも１つをさらに含む請求項５２に記載のシステム。
【請求項５６】
請求書受領装置モジュールの印刷回路板への接続のために前記インターフェイス印刷回路板上に取り付けられたコネクタをさらに含む請求項５２に記載のシステム。
【請求項５７】
前記コネクタがバネ状金属指のアレイを含む請求項５６に記載のシステム。
【請求項５８】
少なくとも１つの最外部金属指が、他の金属指のいずれかでもが導通する前に、印刷回路板上の対応する電気的接続部と導通するために持ち上げられる請求項５７に記載のシステム。
【請求項５９】
前記最外部金属指に対応する前記印刷回路板上の電気回路が静電放電に耐えるために粗面化される請求項５８に記載のシステム。
【請求項６０】
通貨カセット、および、
前記通貨カセットに結合されるメモリをさらに含む請求項５２に記載のシステム。
【請求項６１】
前記インターフェイス・ボード装置に結合されるＲＦアンテナ、および、
通貨カセット・データを受信または送信するために前記インターフェイス・ボードに結合されるセンサ・デバイスをさらに含む請求項６０に記載のシステム。
【請求項６２】
前記請求書受領装置モジュールに結合されるＲＦアンテナ、および、
通貨カセット・データを受信または送信するために前記請求書受領装置モジュールに結合されるセンサ・デバイスをさらに含む請求項５２に記載のシステム。
【請求項６３】
通貨カセット、および、
前記通貨カセットに結合される電気装置をさらに含む請求項５２に記載のシステム。
【請求項６４】
前記電気装置が電気機械式錠である請求項６３に記載のシステム。
【請求項６５】
前記インターフェイス・ボードまたはフレームの１つに結合される電気装置をさらに含む請求項５２に記載のシステム。
【請求項６６】
前記電気装置が電気機械式錠である請求項６５に記載のシステム。
【請求項６７】
前記請求書受領装置モジュール装置の前記印刷回路板が、ホストマシンに直接に結合するための電気的接続部をさらに含む請求項５２に記載のシステム。
【請求項６８】
前記インターフェイス・ボードの前記電気的接続部が、ホストマシンに接続するために使用される時、および、前記請求書受領装置モジュールの印刷回路板の電気的接続部が、ホストマシンに結合するために使用される時、前記同じホスト・インターフェイス・コネクタが使用される請求項６７に記載のシステム。
【請求項６９】
マシンによって実行された時に、マシンに、請求書受領装置モジュールのための構成データをインターフェイス・ボードのメモリ内に保存させ、
ホストマシンとの前記請求書受領装置モジュールの動作を可能にするために前記請求書受領装置モジュールに前記構成データを送信させる指示を保存している保存媒体を含む物品。
【請求項７０】
マシンに、前記構成データを送信するために前記請求書受領装置モジュールからの要求を受信させる指示をさらに含む請求項６９に記載の物品。
【請求項７１】
マシンに、前記請求書受領装置モジュールから送信される構成データを受信させる指示をさらに含み、前記構成データが複数のソースの少なくとも１つから前記請求書受領装置モジュールによって受信される請求項６９に記載の物品。
【請求項７２】
マシンに、
ホストマシンのプロトコルでメッセージを受信させ、
前記メッセージを標準的なプロトコルに変換させ、
前記メッセージを標準的なプロトコルで前記請求書受領装置モジュールに送信させる指示をさらに含む請求項６９に記載の物品。
【請求項７３】
マシンに、
インターフェイス・ボード装置内に通貨カセット・データを受信させ、
請求書受領装置モジュールと通貨カセットとの間の通信を可能にするために前記データをインターフェイス・ボード装置から前記請求書受領装置モジュールに送信させる指示をさらに含む請求項６９に記載の物品。
【請求項７４】
マシンに、
前記通貨カセットのための情報を前記請求書受領装置モジュールから受信させ、
前記情報を前記通貨カセットに送信させる指示をさらに含む請求項７３に記載の物品。
【請求項７５】
マシンに、
通貨カセット上の電気装置を動作させるために請求書受領装置モジュールから要求を受信させ、
機能を行うために前記通貨カセット上の前記電気装置に要求を送出させる指示をさらに含む請求項６９に記載の物品。
【請求項７６】
マシンによって実行された時に、マシンに、
インターフェイス・ボード装置、プログラミング・ツール、差込み式メモリ、通貨カセット上のメモリ、および、ホストマシンの少なくとも１つから送信される構成データを受信させ、
前記構成データをメモリに保存させ、
ホストマシンとの請求書受領装置モジュールの動作を可能にするために前記構成データに従って信号を処理させる指示を保存している保存媒体を含む物品。
【請求項７７】
マシンに、前記構成データを送信するために、前記インターフェイス・ボード装置に要求を送出させる指示をさらに含む請求項７６に記載の物品。
【請求項７８】
マシンに、
複数のソースの少なくとも１つから構成データを受信させ、
前記構成データを前記インターフェイス・ボード装置に送信させる指示をさらに含む請求項７６に記載の物品。
【請求項７９】
マシンに、
ホストマシンのプロトコルに従ってインターフェイス・ボード装置からメッセージを受信させ、
前記メッセージを標準的なプロトコルに変換させる指示をさらに含む請求項７６に記載の物品。
【請求項８０】
マシンに、前記インターフェイス・ボード装置から通貨カセット・データを受信させる指示をさらに含む請求項７６に記載の物品。
【請求項８１】
マシンに、前記インターフェイス・ボード装置を介して前記請求書受領装置モジュールから前記通貨カセットに情報を送信させる指示をさらに含む請求項７９に記載の物品。
【請求項８２】
マシンに、通貨カセットからデータを受信させ、または、通貨カセットにデータを送信させる指示をさらに含む請求項７６に記載の物品。
【請求項８３】
マシンに、電気装置を動作させるためにインターフェイス・ボード装置に要求を送出させる指示をさらに含む請求項７６に記載の物品。
【請求項８４】
前記要求が電気機械式錠を施錠すること、および、開錠することの少なくとも１つを含む請求項８３に記載の物品。
【発明の詳細な説明】
【０００１】
【発明の属する技術分野】
本出願は一般に請求書受領装置（ｂｉｌｌ  ａｃｃｅｐｔｏｒ）に関する。
【０００２】
【従来の技術】
【発明が解決しようとする課題】
ゲームまたは販売業界において、ホストマシンが、ホストマシンの製造業者によって開発されたハードウエアおよびソフトウエアのインターフェイスを使用する印刷回路板（ＰＣＢ）を含んで製造されている。ホストマシンは互換性を持つ請求書受領装置に結合することができる。請求書受領装置は、そのホストマシンのハードウエアおよびソフトウエアのインターフェイスと互換性を持つように製造しなければならない。ほとんどのホストマシン製造業者は異なるハードウエアおよびソフトウエア・インターフェイスを使用しているため、請求書受領装置の製造業者は、市場占有率を高めるために、各タイプのホストマシンに対する互換性を確保するために複数のモデルを生産しなければならない。
【０００３】
【課題を解決するための手段】
一態様において、本発明は、請求書受領装置モジュールのためのデータをインターフェイス・ボードのメモリに保存するための方法および装置を特徴とする。ホストマシンとの請求書受領装置モジュールの動作を可能にするために、構成データが請求書受領装置モジュールに送信される。インターフェイス・ボードは、請求書受領装置モジュールをホストマシンに結合するための電気的接続部を備えたインターフェイス印刷回路板を含む。インターフェイス・ボードは、インターフェイス印刷回路板に結合された制御回路も含む。制御回路に適用された時に、制御回路が、インターフェイス・ボードのメモリに請求書受領装置モジュールのための構成データを保存するように、および、ホストマシンとの請求書受領装置モジュールの動作を可能にするために制御回路が請求書受領装置モジュールへ構成データを送信するように働く情報を保存するために、メモリはインターフェイス印刷回路板に結合することができる。
【０００４】
他の態様において、本発明は、インターフェイス・ボード装置、プログラミング・ツール、差込み式メモリ、通貨カセット上のメモリ、および、請求書受領装置モジュール内のホストマシンの少なくとも１つから送信される構成データを受信するための方法および装置を特徴とする。請求書受領装置モジュールは構成データをメモリに保存する。請求書受領装置は、ホストマシンとの請求書受領装置モジュールの動作を可能にするために構成データに従って信号を処理する。請求書受領装置モジュールは、インターフェイス・ボード装置に結合するための電気的接続部を備えた印刷回路板を含む。請求書受領装置モジュールは、印刷回路板に結合された制御回路も含む。制御回路に適用された時に、制御回路に、インターフェイス・ボード装置、プログラミング・ツール、差込み式メモリ、通貨カセット上のメモリ、および、ホストマシンの少なくとも１つから送信される構成データを受信させ、メモリに構成データを保存させ、ホストマシンとの請求書受領装置モジュールの動作を可能にするために構成データに従って信号を処理させる情報を保存するために、メモリは印刷回路板に結合することができる。
【０００５】
他の態様において、本発明は、フレーム、フレームに取外し可能に取り付けることができるインターフェイス・ボード、および、請求書受領装置モジュールを含むシステムを特徴とする。インターフェイス・ボードは、電気的接続部を備えたインターフェイス印刷回路板、制御回路、および、インターフェイス印刷回路板に結合された関連メモリを含むことができる。インターフェイス・ボードのメモリは、制御回路に、インターフェイス・ボードのメモリに請求書受領装置モジュールのための構成データを保存させ、ホストマシンとの請求書受領装置モジュールの動作を可能にするために請求書受領装置モジュールに構成データを送信させる情報を保存する。請求書受領装置モジュールは、インターフェイス・ボードに結合するための電気的接続部を備えた印刷回路板を含むことができる。請求書受領装置モジュールは、制御回路、および、印刷回路板に結合された関連メモリも含むことができる。請求書受領装置モジュールのメモリは、制御回路に、インターフェイス・ボード、プログラミング・ツール、差込み式メモリ・チップ、通貨カセット上のメモリ、および、ホストマシンの少なくとも１つから送信される構成データを受信させ、構成データを保存させ、ホストマシンとの請求書受領装置モジュールの動作を可能にするために構成データに従って信号を処理させる情報を保存する。
【０００６】
各実施形態は以下の１つまたは複数を含むことができる。インターフェイス・ボードは、構成データを送信するために請求書受領装置モジュールから要求を受信することができる。インターフェイス・ボードは、請求書受領装置モジュールが複数のソースの少なくとも１つから受信した、請求書受領装置モジュールから送信される構成データも受信することができる。ホストマシンとの請求書受領装置モジュールの動作を可能にするために請求書受領装置モジュールに送信される構成データは、少なくとも１つのホストマシンタイプ、または、個々のホストマシンに固有のものとすることができる。各実施形態において、ホストマシンとの請求書受領装置モジュールの動作は、ホストマシンのプロトコルでメッセージを受信すること、メッセージを標準的なプロトコルに変換すること、および、標準的なプロトコルで請求書受領装置モジュールにメッセージを送信することを含む。
【０００７】
他の態様において、インターフェイス・ボードのメモリに請求書受領装置モジュールのためのデータを保存すること、および、ホストマシンとの請求書受領装置モジュールの動作を可能にするために請求書受領装置モジュールに構成データを送信することに加えて、通貨カセット・データをインターフェイス・ボード装置に受信することもできる。インターフェイス・ボードは通貨カセット・データを請求書受領装置モジュールに送信することができる。インターフェイス・ボードは通貨カセット・データを受信するためにＲＦ通信を使用することができる。インターフェイス・ボードは通貨カセットのための情報を請求書受領装置モジュールから受信し、その情報を通貨カセットに送信することもできる。インターフェイス・ボードは、その情報を、ＲＦ通信を使用して通貨カセットに送信することができる。
【０００８】
他の態様において、インターフェイス・ボードのメモリに請求書受領装置モジュールのためのデータを保存すること、および、ホストマシンとの請求書受領装置モジュールの動作を可能にするために請求書受領装置モジュールに構成データを送信することに加えて、インターフェイス・ボードは、通貨カセット上の電気装置を動作させるために請求書受領装置モジュールから要求を受信し、機能を実行させるために通貨カセット上の電気装置に要求を送出する。
【０００９】
他の態様において、インターフェイス・ボード装置、プログラミング・ツール、差込み式メモリ、通貨カセット上のメモリ、および、ホストマシンの少なくとも１つから送信される構成データを受信すること、メモリに構成データを保存すること、および、ホストマシンとの請求書受領装置モジュールの動作を可能にするために構成データに従って信号を処理することに加えて、請求書受領装置は、構成データを送信するためにインターフェイス・ボード装置に要求を送出することもできる。各実施形態において、請求書受領装置は、複数のソースの少なくとも１つから構成データを受信し、インターフェイス・ボード装置にその構成データを送信することもできる。各実施形態において、ホストマシンとの請求書受領装置モジュールの動作は、ホストマシンのプロトコルに従ってインターフェイス・ボード装置からメッセージを受信すること、および、メッセージを標準的なプロトコルに変換することを含む。請求書受領装置モジュールはインターフェイス・ボード装置から通貨カセット・データを受信することができる。請求書受領装置はインターフェイス・ボード装置を介して請求書受領装置モジュールから通貨カセットに情報を送信することもできる。請求書受領装置モジュールは通貨カセットからデータを受信するか、または、通貨カセットにデータを送信することができる。無線周波数通信はデータを受信または送信するために使用することができる。請求書受領装置モジュールは電気装置を動作させるためにインターフェイス・ボード装置に要求を送出することができる。電気装置は通貨カセット電気機械式錠を含むことができ、要求は電気機械式錠を施錠すること、および、開錠することの少なくとも１つを含む。
【００１０】
各実施形態において、インターフェイス・ボードの印刷回路板の電気的接続部は多くのタイプのアダプタの少なくとも１つと互換性を持つ。インターフェイス・ボードは、各々が１つまたは複数のホスト・インターフェイスを標準的なインターフェイスに変換できる複数のインターフェイス・ボードのモデルの１つにすることができる。インターフェイス・ボードは、構成データを設定し、保存するためにＤＩＰスイッチを含むことができる。
【００１１】
インターフェイス・ボードは、請求書受領装置モジュールの印刷回路板への接続のための、インターフェイス印刷回路板上に搭載されたコネクタを含むことができる。コネクタは、インターフェイス印刷回路板上の電気的接続部および請求書受領装置モジュールの印刷回路板上の電気的接続部の少なくとも１つに導通するためのバネ状金属指のアレイを含む。少なくとも１つの最外部金属指は、他の金属指のいずれかでもが導通する前に、印刷回路板上の対応する電気的接続部と導通するために持ち上げられる。最外部金属指に対応する印刷回路板上の電気回路は静電放電に耐えるために粗面化される。
【００１２】
各実施形態において、インターフェイス印刷回路板の少なくとも１つの最外部電気的接続部パッドは、他の電気的接続部パッドのいずれかでもが導通する前にコネクタ上の対応する金属指に導通するために、他の電気的接続部パッドより高くなるように持ち上げられる。持ち上げられたパッドに対応するインターフェイス印刷回路板上の電気回路は静電放電に耐えるように粗面化される。代案として、インターフェイス印刷回路板の少なくとも１つの最外部電気的接続部パッドは、他の電気的接続部パッドのいずれかでもが導通する前にコネクタ上の対応する金属指に導通するために、他の電気的接続部パッドより長くなるように延長される。延長されたパッドに対応するインターフェイス印刷回路板上の電気回路は静電放電に耐えるように粗面化される。インターフェイス・ボード装置は、ＲＦ通信を使用して通貨カセット・データを受信するため、または、通貨カセットにデータを送信するために、インターフェイス・ボードに結合されたＲＦアンテナを含むことができる。
【００１３】
各実施形態において、請求書受領装置モジュールの印刷回路板の電気的接続部は多くのタイプのコネクタの少なくとも１つと互換性を持つ。請求書受領装置モジュールは印刷回路板の電気的接続部に接続されるＵＳＢアダプタを含むことができる。ＵＳＢアダプタは、請求書受領装置モジュールがフレームに取り付けられる時でさえもアクセス可能である。
【００１４】
請求書受領装置モジュールは、インターフェイス・ボード装置のインターフェイス印刷回路板への接続のために、印刷回路板上に取り付けられたコネクタを含むことができる。コネクタは、インターフェイス・ボード装置のインターフェイス印刷回路板上の電気的接続部および請求書受領装置モジュールの印刷回路板上の電気的接続部の少なくとも１つに導通するためのバネ状金属指のアレイを含む。最外部金属指の少なくとも１つは、他の金属指のいずれかでもが導通する前に、印刷回路板上の対応する電気的接続部と導通するために持ち上げられる。最外部金属指に対応する印刷回路板上の電気回路は静電放電に耐えるために粗面化される。
【００１５】
各実施形態において、印刷回路板の最外部電気的接続部パッドの少なくとも１つは、他の電気的接続部パッドのいずれかでもが導通する前にコネクタ上の対応する金属指に導通するために、他の電気的接続部パッドより高くなるように持ち上げられる。持ち上げられたパッドに対応するインターフェイス印刷回路板上の電気回路は静電放電に耐えるように粗面化される。代案として、印刷回路板の最外部電気的接続部パッドの少なくとも１つは、他の電気的接続部パッドのいずれかでもが導通する前にコネクタ上の対応する金属指に導通するために、他の電気的接続部パッドより長くなるように延長される。延長されたパッドに対応するインターフェイス印刷回路板上の電気回路は静電放電に耐えるように粗面化される。
【００１６】
他の態様において、印刷回路板はホストマシンに直接に結合するための電気的接続部を含み、メモリは、制御回路にホストマシンと直接に通信させるための指示をさらに含む。請求書受領装置モジュールはその構成データを受信するために標準的なインターフェイスを利用する。エッジ・カード・コネクタは、ホストマシンと直接に結合するため、および、ホストマシンに対する接続のために使用することができる。
【００１７】
以下の特徴の１つまたは複数も含むことができる。通貨カセット上の電気装置は電気機械式錠とすることができる。構成データは、スタッカ構成、パワーアップポリシ、ベゼルのタイプ、有効請求書の額面金額、請求書受領方法、銀行券の系列に関する制限、ユーザ・インターフェイス、および、ユーザ・インターフェイス自動検出の少なくとも１つに関する情報を含むことができる。
【００１８】
実施形態は以下の長所の１つまたは複数を有することができる。サービス技術者がゲーム機の請求書受領装置を交換または構成している間も営業している混雑したカジノ場にあるゲーム機は盗難に遭いやすい。本技術の方法および装置は、請求書受領装置モジュールがその構成データをインターフェイス・ボードから受信できるようにすることによってサービスの時間を最小に抑え、したがって、機械の保安性を高める。同様に、ホストマシンの今後の設計を最小の混乱で受け入れることができる。本方法および装置の他の長所は、各ＰＣＢの電気的相互接続部の機械的要素が低価格かつ高信頼性で提供され、ＯＥ製造業者、ゲーム機製造業者、販売業者、および、エンド・ユーザが一種類の請求書受領装置を扱うのみとなるに違いないことである。
【００１９】
本発明の１つまたは複数の実施形態の詳細は、添付の図面および以下の説明に開示される。本発明の他の特徴、目的、および、長所は、説明と図面、および、特許請求の範囲から明らかになる。
様々な図面における同じ参照符号は同じ要素を示す。
【００２０】
【発明の実施の形態】
図１は請求書受領装置モジュール２０、インターフェイス・ボード装置３０、通貨カセット４０、および、フレーム５０を含むことができる通貨確認装置アセンブリ１０の簡略ブロック図である。図２乃至５は通貨確認装置アセンブリ１０の様々な構成要素の実施形態を示す。フレーム５０はゲーム機としてホストマシン６０にネジまたは同等の手段を使用して固定的に取り付けることができる。請求書受領装置モジュール２０はフレーム５０に取外し可能に取り付けることができ、他の構成要素とは独立に挿入または外することができる。
【００２１】
図２を参照すると、請求書受領装置モジュールは、フレーム５０の溝またはくぼみ７１への取外し可能な接続のためのロッド７０を含むことができる。サービス担当者は、誤動作の時、または、清掃などの定例メンテナンスのために請求書受領装置モジュール２０を外すことを所望することがある。通貨カセット４０も他の構成要素とは独立にフレーム５０に取外し可能に装着することができる。通常の動作の間、通貨カセット４０は定期的な予定に従ってフレーム５０から外すことができる。外された通貨カセットの代替として、空の通貨カセット４０をフレーム５０に挿入することができる。
【００２２】
図３を参照すると、インターフェイス・ボード３０もフレーム５０に取外し可能に取り付けることができ、フレームから取外して示す。コネクタ３８はインターフェイス・ボード３０にネジまたは同等の手段を使用して取り付けることができる。インターフェイス・ボード３０は取付けレール５２上にフレーム５０内に挿入される。図４はフレーム５０に取り付けられたインターフェイス・ボード３０に取り付けられたコネクタ３８を示す。コネクタ３８は、くぼみ７１に近い側がアクセス可能である。請求書受領装置モジュール２０を取外すと、インターフェイス・ボード３０は、修理または交換のために、他の構成要素とは独立にフレーム５０から取外すことができる。しかし、インターフェイス・ボード３０はフレーム５０から頻繁に取外されることは意図されていない。
【００２３】
図５を参照すると、請求書受領装置モジュール２０は、少なくとも電源システム２１、プロセッサまたはゲート・アレイを含むことができる制御回路２７などの制御手段、請求書搬送手段２３、センサ・システム手段２４、および、ホストマシンに接続するための１つまたは複数のホストマシンインターフェイス２６を含むことができる。請求書受領装置２０は、インターフェイス・ボード３０に接続するためのホスト独立標準インターフェイス２５も含む。制御回路２７はメモリ２８に保存される指示を実行するために印刷回路板（ＰＣＢ）に結合することができる。請求書の搬送を含む請求書の確認の詳細は本発明の範囲を超えるが、例えば、本件の被譲渡人に譲渡されている米国特許第４，６２８，１９４号（制御手段）、第５，４１１，２４９号（請求書搬送手段）、第５，８８９，８８３号、および、第６，００４，９５２号（センサ・システム手段）に見出すことができる。
【００２４】
図６および７に示すように、請求書受領装置モジュール２０のＰＣＢ２９は、請求書受領装置モジュールの主筐体１８の端部を超えて延長する。ＰＣＢ２９は標準的なインターフェイス２５として構成できる電気的接続部を含む。これらの電気的接続部はＰＣＢの露出したエッジ上にあるとすることができる。図５および６を参照すると、請求書受領装置モジュール２０はホスト・インターフェイス２６も含むことができる。ＰＣＢ２９の他の部分も、ホスト・インターフェイス２６として構成できる電気的接続部を含む。これらの電気的接続部はＰＣＢの露出したエッジ上にあるとすることができる。示す実施において、ＰＣＢ２９の露出したエッジの頂部側２５ａ（図７を参照）は、インターフェイス・ボード装置３０に結合するための電気的接続部を提供する標準的なインターフェイス２５である。同じ露出したエッジの反対側２６ａ（図６を参照）は、ホストマシン６０に請求書受領装置モジュール２０を結合するための電気的接続部を提供するホスト・インターフェイス２６の一部である。ホスト・インターフェイス２６は、標準的なインターフェイスのために使用される露出したエッジの頂部側２５ａ上のいくつかの電気的接続部も使用する。ＰＣＢは、コネクタ３８への機械的および電気的接続のための、露出したエッジに沿うようにできる線形アレイに配列される長方形パッド１９（図６を参照）のパターンを有する。これらのパッドは、ＰＣＢ２９の銅製回路パターンの一部であり、したがって、無視できる費用で実施することができる。
【００２５】
標準的およびホストのインターフェイスに加えて、請求書受領装置モジュール２０は、ＰＣＢの電気的接続部に結合されるＵＳＢアダプタを含むことができる。ＵＳＢアダプタは、請求書受領装置モジュールがフレーム上に取り付けられる場合でもアクセス可能である。このアダプタは、例えば、請求書受領装置モジュールに構成データを送信するためにサービス担当者が使用することができる。
請求書受領装置モジュール２０は２つのモードのうちの１つで動作することができる。タンデム・モードにおいて、標準的なインターフェイス２５は、ホストマシンとの請求書受領装置モジュールの動作を可能にするために、ホストマシン６０に結合されるフレーム５０上に取り付けられるインターフェイス・ボード装置３０に結合される。このモードにおいて、請求書受領装置モジュール２０は、インターフェイス・ボード装置３０を介して通貨カセット４０にも結合することができる。代案として、自立型モードにおいて、ホスト・インターフェイス２６はホストマシン６０との請求書受領装置モジュール２０の動作を可能にするために、図３および４に示すホスト・インターフェイス・コネクタ７を使用してホストマシン６０に結合される。自立型モードにおいて、請求書受領装置モジュール２０の構成は、標準的なインターフェイス２５を使用して（例えば、標準的なインターフェイスにサービス・ツールを接続することによって）設定される。請求書受領装置モジュールなどの装置の動作は、（例えば、装置と他の装置との間の通信を可能にする）装置の挙動を制御することを指すことができる。例えば、ホストマシンとの請求書受領装置モジュールの動作は、請求書受領装置モジュールとホストマシンとの間の通信を含むことができる。
【００２６】
ＰＣＢ２９の適する設計によって、電気的接続部は、バミューダのハンプトンにあるＴｙｃｏ  Ｉｎｔｅｒｎａｔｉｏｎａｌ  Ｌｔｄ．（Ｔｙｃｏ）の一部門であるＡＭＰによって製造されるＥｄｇｅ  Ｃａｒｄ  Ｃｏｎｎｅｃｔｏｒなどの市販のホスト・インターフェイス・コネクタ７と互換性を持たせることができる。図６および７に示す実施において、ホスト・インターフェイス・コネクタ７は、ＰＣＢの露出したエッジのいずれの側上の導通部の列と通信することが可能である。したがって、ホスト・インターフェイス・コネクタ７は、標準的なインターフェイス２５に対応する頂部面２５ａと、または、ホスト・インターフェイスに対応する底部側２６ａおよび頂部側の一部と互換性を持たせることができる。この電気的接続は、ホストマシン６０との請求書受領装置モジュール２０の動作を可能にする。したがって、インターフェイス・ボードまたはホスト・インターフェイス・コネクタ７の標準的なインターフェイス３２の改変を必要とすることなしに、タンデムまたは自立型のモードで請求書受領装置モジュール２０を動作するために、請求書受領装置モジュールのＰＣＢ２９の同じ露出したエッジ上の電気的接続部の２つのセットの一部を使用することが可能となる。ＰＣＢ２９は、各種のアダプタ（例えば、ＵＳＢ、ＲＳ−２３２など）のいずれとも互換性を持つインターフェイスを提供するために設計することもできる。
【００２７】
図３、４、および、５を参照すると、インターフェイス・ボード３０の実施は、請求書受領装置モジュール２０への接続のための標準的なインターフェイス３２、および、ホストマシン６０への接続のための１つまたは複数のインターフェイス３３を有する揮発性または不揮発性メモリ、および／またはＤＩＰスイッチなどの少なくとも保存手段３１に結合されるインターフェイスＰＣＢを含む。インターフェイス・ボードは、メモリに保存される指示を実行するために、インターフェイスＰＣＢに結合されるプロセッサまたはゲート・アレイなどの制御回路３７を含むことができる。インターフェイスＰＣＢは他の構成要素に接続するために電気的接続部を含むことができる。これらの電気的接続部は、ＰＣＢの１つまたは複数のエッジ上にあるとすることができる。インターフェイスＰＣＢの一部分は標準的インターフェイス３２を提供し、これは請求書受領装置モジュール２０に結合するための電気的接続部を提供する。インターフェイスＰＣＢの１つまたは複数の追加部分はホストマシンインターフェイス３３を提供し、これはホストマシン６０に結合するための電気的接続部を提供する。自立型モードでホストマシン６０に請求書受領装置モジュール２０を結合するために使用される同じホスト・インターフェイス・コネクタ７は、タンデム・モードでホストマシン６０にインターフェイス・ボード３０を結合するために使用することができる。
【００２８】
上記に説明したように、インターフェイスＰＣＢは、露出したエッジに沿うようにできる線形アレイに配列される長方形パッド３５（図３を参照）のパターンを有する。これらのパッドは、ＰＣＢの銅製回路パターンの一部であり、したがって、無視できる費用で実施することができる。インターフェイス・ボード装置３０は、複数のインターフェイス・ボードのモデルの１つとすることができる。各インターフェイス・ボードのモデルは、少なくとも１つのホスト・インターフェイスを、請求書受領装置との動作に適する標準的なインターフェイスに変換することができる。インターフェイスＰＣＢは、１つまたは複数の電気的接続部が様々なアダプタ（例えば、ＵＳＢ、ＲＳ−２３２など）の１つと互換性を持つように設計することもできる。したがって、インターフェイス・ボード装置３０は通貨確認装置アセンブリ１０と各種のホストマシン６０との間のハードウエア翻訳を提供することができる。
【００２９】
再び図５を参照すると、インターフェイス・ボード３０は、電源３４、（プロセッサまたは制御論理回路上で実行されるソフトウエアなどの）制御手段、構成情報を保存する（例えば、メモリなどの）保存手段３１などの構成手段３６、センサ・デバイス４３、および、プロセッサまたはゲート・アレイを含むことができる制御回路３７などの通信手段も含むことができる。通信手段は通貨カセット４０と通信するために使用することができる。通貨カセット４０は、電気デバイス４２、および／または、メモリ４１などの保存装置を含むＲＦタグ・チップ４４を含むことができる。さらに、インターフェイス・ボード装置３０は、構成するため、および、追加の構成データおよび通貨確認装置アセンブリ１０の特定の構成要素の設定を保存するために使用することができるＤＩＰスイッチを含むことができる。例えば、ＤＩＰスイッチは、請求書受領装置モジュール２０がどのようにして（例えば、一方向の、双方向の、または、四方向の受領）請求書を受領するかを構成するために使用することができる。そのため、インターフェイス・ボード３０は、ホストマシン６０と動作するために請求書受領装置モジュール２０を構成するために必要な構成要素およびデータを含むことができる。
【００３０】
図８は、ネジ、リベット、または、他の同等の手段などの結索具を使用してインターフェイス・ボード３０に取り付けることができるカスタム設計のコネクタ３８の等角図である。コネクタ３８は、金属指８１に対応する、請求書受領装置モジュール２０のインターフェイス・ボードへの標準的なインターフェイス２５およびインターフェイス・ボード３０の請求書受領装置モジュールへの標準的インターフェイス３２の双方の上の電気的接続部パッド１９、３５（図９参照）に摩擦的に導通するための変形可能な（バネ状）金属指８１のアレイを含む。このため、コネクタ３８は、請求書受領装置モジュールのＰＣＢ２９をインターフェイス・ボード装置３０のインターフェイスＰＣＢに結合する。代案として、コネクタ３８は請求書受領装置モジュール２０に取り付けることができる。コネクタ３８によって形成される電気的接続の耐久性および信頼性は、金などの貴金属の薄層で接触表面をメッキすることによって改善することができる。接続部の寿命は、金を介した銅原子の拡散を防止するための障壁として機能するニッケルの中間層を追加することによってさらに改善することができる。導通部の腐食を防止するこれらの方法は当業者によって知られている。
【００３１】
請求書受領装置モジュール２０は、フレーム５０への取付けの前に静電荷を得ることがある。結果として、コネクタ３８は、請求書受領装置モジュールの標準的なインターフェイス２５とインターフェイス・ボードの標準的なインターフェイス３２との間に発生することがあるいかなる静電放電も消失させるように設計することができる。図８を参照すると、最外部金属指導通部が、中間金属指導通部４５の前にインターフェイス２５、３２上の対応する電気的接続パッドに接触することを確実にするために、コネクタの各傾斜部の最外部金属指導通部３９ａおよび３９ｂは持ち上げられる。コネクタ３８の持ち上げられた導通部３９ａおよび３９ｂに対応するインターフェイス２５、３２の電気回路は、発生する可能性のあるいかなる静電放電にも耐えるために粗面化することができる。代案として、インターフェイス・ボードへの標準的なインターフェイス２５および／または請求書受領装置モジュールへの標準的なインターフェイス３２は、それらの間に発生する可能性のある静電放電を消失させるように設計することができる。インターフェイスのそれらのパッドが、中間の電気的な接続部パッドの前にコネクタの対応する金属指導通部に接触することを確実にするために、１つまたは両方のインターフェイス２５、３２の最外部電気的接続部パッドはそれらのパッドが他の電気的接続部パッドより高くなるように持ち上げられるか、または、それらのパッドが他の接続部パッドより長くなるように延長することができる。インターフェイスの持ち上げられたまたは延長された電気的接続部パッドに対応するインターフェイス２５、３２の電気回路は、発生する可能性のあるいかなる静電放電にも耐えるために粗面化することができる。フレーム５０および／またはホストマシン６０のケースが電気的に伝導性ではない（プラスチックなどの）材料で作られ、したがって、接地への接続を提供できない場合に、これらの構成は有用である。
【００３２】
開示される実施による請求書受領装置モジュール２０は、インターフェイス・ボード装置３０を使用して、ホストマシン６０および通貨カセット４０と通信することができる。１つの実施形態において、請求書受領装置モジュールのＰＣＢ２９上の、プロセッサなどの制御回路２７は、プロセッサ間通信プロトコルを使用してＳＰＩバスを介して、インターフェイス・ボードのインターフェイスＰＣＢ上の、プロセッサなどの制御回路３７と通信する。インターフェイス・ボード３０の請求書受領装置モジュール装置への標準的なインターフェイス３２は請求書受領装置モジュール２０との動作を可能にし、インターフェイス・ボード３０のホスト・インターフェイス３３はホストマシン６０との動作を可能にする。したがって、インターフェイス・ボードは、ホストマシン６０との請求書受領装置モジュール２０の動作を可能にする。
【００３３】
外部サービス・ツールはインターフェイス・ボード３０に請求書受領装置モジュール２０のための構成データを供給するために使用することができる。代案として、技術者は、請求書受領装置モジュール２０などの構成デバイスを使用して構成データをインターフェイス・ボード３０に供給することができる一方、インターフェイス・ボードは、ホストマシン６０に接続されるフレーム５０に取り付けられる。
【００３４】
図１０は、インターフェイス・ボードから請求書受領装置モジュールへの構成データの転送の流れの実施を示すフローチャートである。インターフェイス・ボード３０は、不揮発性メモリ（例えば、ＲＯＭ）などのメモリ３１内に請求書受領装置モジュール２０のための構成データを保存し１００、請求書受領装置モジュール２０に構成データを送信１０４することができる。請求書受領装置モジュール２０はこの構成データを揮発性メモリ（例えば、ＳＲＡＭ）などのメモリ２８に保存する１０６ことができ、そのため、請求書受領装置モジュール２０はローカルに構成情報にアクセスすることができる。請求書受領装置モジュール２０は、ホストマシン６０との動作を可能にするために、新しい構成データに従って信号を処理することによって、それの挙動を修正１０８する。さらに、請求書受領装置モジュール２０は、クーポンまたは手持ち型サービス・ツールなどのプログラミング・ツール、差込み式メモリ・チップ、ホストマシン６０、または、通貨カセット４０上のメモリ４１を含むＲＦタグ・デバイス４４を含む様々なソースから構成データを受信することができる。請求書受領装置モジュール２０はこの構成データをインターフェイス・ボード３０に送信することができる。したがって、システムは、インターフェイス・ボードから請求書受領装置モジュール２０への構成データなどの情報の双方向の交換を提供することができる。例えば、請求書受領装置モジュール２０が通貨確認装置アセンブリ１０内の別の請求書受領装置をこれの代わりに置き換える時は、請求書受領装置モジュールが初期化の間に保存手段３１から必要な構成データを抽出することができるため、構成の処理は必要ではない。
【００３５】
構成データは請求書受領装置モジュールがどのように動作するかを決定する情報を含むことができる。構成データは、中でも、スタッカ構成、通電時ポリシ、ベゼルのタイプ、有効請求書の額面金額、請求書受領方法、銀行券の系列に関する制限、ユーザ・インターフェイス、および、ユーザ・インターフェイス自動検出に関する情報を含むことができる。スタッカ構成の情報は、請求書受領装置が、受領される請求書のために上方積み重ねまたは下方積み重ねのどちらの構成を使用するかを示す。通電時ポリシの情報は、停電後に電力が復帰した時に請求書受領装置モジュールが通貨をどのように取り扱うかを決定する。ベゼル・タイプの情報は、請求書受領装置モジュール２０内に請求書を集める請求書受領装置モジュールの一部を説明する。有効請求書の額面金額の情報は、請求書受領装置モジュールがどの請求書額面金額を受領し、拒否するかを決定する。請求書受領方法の情報は、請求書受領装置モジュールがどのようにして請求書を受領するか（例えば、一方向の、双方向の、または、四方向の受領）を決定する。銀行券の系列に関する制限の情報は、請求書受領装置モジュールが特定の日付より前に発行された請求書を制限するかどうかを決定する。ユーザ・インターフェイスの情報は、請求書受領装置モジュールがそのユーザ・インターフェイスで使用する言語を決定する。ユーザ・インターフェイス自動検出の情報は、請求書受領装置モジュールがユーザ・インターフェイスの機能を使用することを許可されているかどうかを決定する。構成データは個々のホストマシンまたはホストマシンのタイプの少なくとも１つに固有のものとすることができる。
【００３６】
インターフェイス・ボード３０は、請求書受領装置モジュール２０の構成データを送信するために、通電の際に請求書受領装置モジュール２０から送られた要求を受信することができる１０２。代案として、インターフェイス・ボード３０は、要求がなくても請求書受領装置モジュールに構成を一斉送信することができる。
【００３７】
請求書受領装置モジュール２０とホストマシン６０との間で可能となった通信は、インターフェイス・ボード３０内に、ホストマシンのプロトコルであるホストマシンからのメッセージを受信することを含む。インターフェイス・ボードは、このメッセージを標準的なプロトコルに変換し、変換されたメッセージを請求書受領装置モジュールに送信することができる。代案として、ホストマシンのプロトコルであるホストマシンからのメッセージを受信した後、インターフェイス・ボードは請求書受領装置モジュールにホストマシンのプロトコルでメッセージを送信することができる。請求書受領装置モジュールは、このメッセージを標準的なプロトコルに変換することができる。
【００３８】
本技術は、請求書受領装置モジュールが通貨カセット４０に結合されるメモリ４１と通信することを可能にもできる。メモリは、通貨カセットに結合される識別デバイス４４上に含むことができる。請求書受領装置モジュール２０のための構成データを保存すること、および、請求書受領装置モジュールに構成データを送信することに加えて、インターフェイス・ボード３０は、通貨カセット・データを受信し、そのデータを送信することができ、そのデータは請求書受領装置モジュール２０に受信される。通貨カセット・データは、通貨カセットの通し番号、通貨カセット４０に受領された請求書の数、受領された請求書の額面金額、および、受領された各額面金額の数を含むことができる。請求書受領装置モジュール２０は、この時点でこの新しい情報に従って信号を処理するため、この情報の受信に応じて請求書受領方法を変更することができる。加えて、インターフェイス・ボード３０は、請求書受領装置モジュール２０によって送信された通貨カセット４０のための情報を受信し、通貨カセット４０にその情報を送信することができる。したがって、本技術は請求書受領装置モジュール２０と通貨カセット４０との間での情報の双方向の交換を提供する。
【００３９】
１つの実施形態において、インターフェイス・ボード３０は、無線周波数（ＲＦ）アンテナ４５およびセンサ・デバイス４３を含む。識別デバイスとしてＰｈｉｌｉｐｓ  Ｃｏｒｐｏｒａｔｉｏｎによって製造されるものなどのＲＦタグ・チップが使用され、通貨カセット４０に結合することができる。ＲＦタグ・チップは、その不揮発性メモリ４１に通貨カセットの通し番号のハード・コード化版を含むことができる。ＲＦタグ・チップは上記に触れた通貨カセット４０によって受領された請求書の数に関する追加の情報も含むことができる。監査機能は、通貨確認装置アセンブリ１０に対してさらに高い保安レベルを提供する。インターフェイス・ボード３０のセンサ・デバイス４３は、ＲＦ通信を使用してＲＦタグ・チップから通貨カセットのデータを受信するために使用される。インターフェイス・ボード３０はＲＦ通信を使用して通貨カセット・データの送信もする。加えて、インターフェイス・ボード３０は、請求書受領装置モジュール２０によって送信された通貨カセット４０のための情報を受信し、ＲＦ通信を使用してその情報を通貨カセット４０に送信することができる。
【００４０】
代案となる実施形態において、請求書受領装置モジュール２０は通貨カセット４０上の識別デバイスのメモリ４１と直接に通信することができる。インターフェイス・ボード装置、プログラミング・ツール、差込み式メモリ、通貨カセット上のメモリ、および、ホストマシンの少なくとも１つから送信されるデータを受信すること、構成データをメモリに保存すること、および、請求書受領装置モジュールとホストマシンとの間の通信を可能にするために構成データに従って信号を処理することに加えて、請求書受領装置モジュールは、通貨カセットから上述のデータを受信し、通貨カセットに上述のデータを送信することができる。この実施形態において、請求書受領装置モジュール２０はＲＦアンテナおよびセンサ・デバイスを含む。請求書受領装置モジュールのセンサ・デバイスは、ＲＦ通信を使用して、ＲＦタグ・チップ４４から通貨カセット・データを受信し、通貨カセット・データをＲＦタグ・チップに送信するために使用される。
【００４１】
本技術は、請求書受領装置モジュール２０が、通貨カセット４０に結合された電気デバイス４２と通信することを可能にもできる。請求書受領装置モジュール２０のために構成データを保存すること、および、請求書受領装置モジュールに構成データを送信することに加えて、インターフェイス・ボード３０は、通貨カセット４０上の電気装置４２を動作させるために請求書受領装置モジュールから要求を受信し、要求された機能または動作を実行するために電気装置４２にその要求を送出することができる。１つの実施形態において、電気装置４２は電気機械式錠を含むことができる。インターフェイス・ボード３０は、通貨カセット４０上の電気機械式錠を施錠または開錠するために、請求書受領装置モジュール２０から送出された要求を受信し、要求された施錠または開錠の機能を実行するために通貨カセット４０上の電気機械式錠にその要求を送出する。代案として、電気機械式錠などの電気デバイスはインターフェイス・ボードまたはフレームに結合することができる。
【００４２】
本システムの様々な特徴は、ハードウエア、ソフトウエア、または、ハードウエアとソフトウエアの組み合わせにおいて実施することができる。本システムのいくつかの態様は機械上で実行される指示において実施することができる。例えば、本システムのいくつかの態様は、プログラム可能なコンピュータ、マイクロプロセッサ、または、プロセッサ上で実行するコンピュータ・プログラムにおいて実施することができる。各プログラムは、コンピュータ・システムと通信するために、高いレベルの手続き上の、または、オブジェクト志向のプログラミング言語で実施することができる。さらに、上述の機能を実行するために保存媒体がコンピュータによって読み出される時にコンピュータを構成し、動作させるために、各そのようなコンピュータ・プログラムは汎用または専用のプログラム可能なコンピュータによって読出し可能な読出し専用メモリ（ＲＯＭ）などの保存媒体上に保存することができる。
【００４３】
本発明のいくつかの実施形態が説明された。にもかかわらず、本発明の精神および範囲から逸脱することなく、様々な改変を行えることが理解されよう。例えば、請求書受領装置モジュール２０は２つ以上のプロセッサを含むことができる。同様に、請求書受領装置モジュール２０のメモリおよびインターフェイス・ボード３０のメモリは、揮発性または不揮発性のメモリを含むことができる。このメモリはプロセッサにソケットで装着するか、または、内蔵することができる。したがって、他の実施形態も冒頭の特許請求の範囲内である。
【図面の簡単な説明】
【図１】本発明の実施形態による通貨確認装置アセンブリを含むシステムを示す簡略ブロック図である。
【図２】本発明の実施形態による請求書受領装置モジュール、フレーム、および、通貨カセットの分解等角図である。
【図３】本発明の１つの実施形態によるインターフェイス・ボードおよびフレームの分解図である。
【図４】フレーム内に取り付けられた図３のインターフェイス・ボードを示す図である。
【図５】本発明の実施形態による通貨確認装置アセンブリを含むシステムの各構成要素の詳細を示す簡略ブロック図である。
【図６】本発明の実施形態による請求書受領装置モジュールの背面等角図である。
【図７】本発明の１つの実施形態による自立型構成における請求書受領装置モジュールおよびホスト・インターフェイス・コネクタの分解図である。
【図８】本発明の１つの実施形態によるインターフェイス・コネクタの等角図である。
【図９】本発明の１つの実施形態によるインターフェイス・コネクタの断面図である。
【図１０】本発明の１つの実施形態によるインターフェイス・ボード装置から請求書受領装置モジュールへの構成データの転送の流れを示すフローチャートである。
【図１】
2004246857.tif 000003
【図２】
2004246857.tif 000004
【図３】
2004246857.tif 000005
【図４】
2004246857.tif 000006
【図５】
2004246857.tif 000007
【図６】
2004246857.tif 000008
【図７】
2004246857.tif 000009
【図８】
2004246857.tif 000010
【図９】
2004246857.tif 000011
【図１０】
2004246857.tif 000012